(57)【要約】      （修正有）【課題】異なる内張の交換可能なバッグ構造を提供する。【解決手段】収納本体１０と、内張袋１２と、連接体１６と、第１接合具１７と、第２接合具１８とから構成され、その中、収納本体１０には、開口１００と、開口１００に相連通する収納空間１０２とが画定され、内張袋１２は、収納空間１０２に設置され、かつそれには、開口部１２０と、開口部１２０に相連通する収容空間１０２とが画定され、連接体１６は、開口１００箇所と、開口部１２０箇所とに設置され、連接体１６により、開口１００が開口部１２０と連接したり、分離したりするように構成され、第１接合具１７及び第２接合具１８は、それぞれ収納本体１０の内壁面１０４と内張袋１２の外壁１２４に設置され、これにより、収納本体１０は、連接体１６、第１接合具１７及び第２接合具１８を利用して、異なる模様、機能の内張袋１２が随意に取替えられ、かつ要洗濯の内張袋１２を清潔な内張袋１２に取替えることも可能である。【選択図】図４
0003198170.tif 000002
【実用新案登録請求の範囲】
【請求項１】
異なる内張の交換可能なバッグ構造であって、
収納本体と、内張袋と、少なくとも１つの連接体と、複数の第１接合具と、複数の第２接合具とを備え、
前記収納本体には、開口と、前記開口に相連通する収納空間とが画定され、
前記内張袋は、前記収納空間に設置され、かつ前記内張袋には、開口部と、前記開口部に相連通する収容空間とが画定され、
当該連接体は、前記開口箇所と、前記開口部箇所とに設置され、当該連接体により、前記開口が前記開口部と連接したり、分離したりするように構成され、
各前記第１接合具は、前記収納本体の内壁面に設置され、
各前記第２接合具は、前記内張袋の外壁面に設置され、かつ各前記第１接合具に相互に連接固定されることを特徴とする、異なる内張の交換可能なバッグ構造。
【請求項２】
当該連接体は、ファスナー体、面ファスナー、固定リング、引締め紐またはボタン体であることを特徴とする、請求項１に記載の異なる内張の交換可能なバッグ構造。
【請求項３】
前記第１接合具は、固定リング、引締め紐、磁石、面ファスナーまたはボタン体であることを特徴とする、請求項１に記載の異なる内張の交換可能なバッグ構造。
【請求項４】
前記第２接合具は、引締め紐、固定リング、磁石、面ファスナーまたはボタン体であることを特徴とする、請求項１に記載の異なる内張の交換可能なバッグ構造。
【請求項５】
前記収納本体に、少なくとも１つの手提げ部が設置されることを特徴とする、請求項１に記載の異なる内張の交換可能なバッグ構造。
【請求項６】
前記内張袋に、複数の収容袋が設置されることを特徴とする、請求項１に記載の異なる内張の交換可能なバッグ構造。
【考案の詳細な説明】
【技術分野】
【０００１】
本考案は、バッグ構造に係り、特に異なる模様、機能の内張袋である異なる内張が随意に、かつ迅速、便利に取替えられる、交換可能なバッグ構造に関する。
【背景技術】
【０００２】
市販の手提げ袋、バッグまたは特殊用途のハンドバッグが品数豊富に取り揃えられている。それにもかかわらず、それらの各内部には、いずれも内張袋を設置する必要があり、この内張袋がなければ、各種の物品を収納することができず、ひいては内張袋上に複数個の大きさの違う収容袋が設置され、各収容袋で物品を有効に分類することにより、便利に出し入れ、きちんと整い揃っているように維持する目的が達成される。そのため、異なる各種の手提げ袋、バッグまたは特殊用途のハンドバッグは、使用者のニーズに合わせて異なっているので、消費者は、断えず買い続ける必要が生じ、また内張袋が汚くなり、洗濯が必要になる時に、その過程が十分に煩雑で、かつ手提げ袋、バッグまたは特殊用途のハンドバッグの外観は、洗濯による損壊や退色が起こるおそれがあり、そしてその外観が鮮やかに蘇えってこない。なお、もし内張袋は、多数回の洗滌のせいで破損する時に、継続的に使用することができなくなり、捨てることになる。
【０００３】
上記から分かるように、現在、内張袋を縫製した手提げ袋、バッグまたは特殊用途のハンドバッグは、その使用変化上、単調であり、かつ内部の模様と収容袋の設置方式を変更することができないため、さらに大量の金銭を注ぎ込んで所望なバッグタイプを購入する必要があり、さらにメンテナンス、洗滌と清潔面において容易とは言えない。
【考案の概要】
【考案が解決しようとする課題】
【０００４】
本考案の主要な目的は、収納本体は、連接体、第１接合具及び第２接合具を利用して異なる模様、機能の内張袋が随意に取替えられ、かつ要洗濯の内張袋を清潔な内張袋に取替えることも可能である。
【０００５】
本考案の副次的な目的は、第１接合具と第２接合具との相粘合を利用し、内張袋を完全に収納本体の収納空間中に固定され、使用者が外出に使用する時に、内張袋が容易に揺れて位置ずれを生じるため、内張袋内または収容袋に入れた物品が位置移動して散らかってしまうのを防止する。
【課題を解決するための手段】
【０００６】
上記目的を達成するために、本考案に係る異なる内張の交換可能なバッグ構造は、収納本体と、内張袋と、少なくとも１つの連接体と、複数の第１接合具と、複数の第２接合具とを備え、前記収納本体には、開口と、前記開口に相連通する収納空間とが画定され、前記内張袋は、前記収納空間に設置され、かつそれには、開口部と、前記開口部に相連通する収容空間とが画定され、当該連接体は、前記開口箇所と、前記開口部箇所とに設置され、当該連接体により、前記開口が前記開口部と連接したり、分離したりするように構成され、各前記第１接合具は、前記収納本体の内壁面に設置され、各前記第２接合具は、前記内張袋の外壁面に設置され、かつ各前記第１接合具に相互に連接固定される。
【０００７】
本考案の一実施例によれば、当該連接体は、ファスナー体、面ファスナー、固定リング、引締め紐またはボタン体である。
【０００８】
本考案の一実施例によれば、前記第１接合具は、固定リング、引締め紐、磁石、面ファスナーまたはボタン体である。
【０００９】
本考案の一実施例によれば、前記第２接合具は、引締め紐、固定リング、磁石、面ファスナーまたはボタン体である。
【００１０】
本考案の一実施例によれば、前記収納本体に、少なくとも１つの手提げ部が設置される。
【００１１】
本考案の一実施例によれば、前記内張袋に、複数の収容袋が設置される。
【図面の簡単な説明】
【００１２】
【図１】本考案の好ましい実施例の斜視図である。
【図２】本考案の好ましい実施例の斜視分解図である。
【図３】本考案の内張袋の取替え状態を示す図である。
【図４】本考案の内張袋の取付け状態を示す図である。
【図５】本考案の内張袋の他の取替え状態を示す図である。
【考案を実施するための形態】
【００１３】
図１及び図２は、それぞれ本考案の好ましい実施例を示す斜視図及び斜視分解図である。図１及び図２に示すように、本考案は、異なる内張の交換可能なバッグ構造であり、バッグ構造１は、収納本体１０と、内張袋１２とから構成され、また収納本体１０には、使用者が便利に手で提げて持ち運ぶための少なくとも１つの手提げ部１４が設置される。その中、収納本体１０には、開口１００と、前記開口１００に相連通する収納空間１０２とが画定され、内張袋１２には、開口部１２０と、前記開口部１２０に相連通する収容空間１２２とが画定され、前記内張袋１２は、収納空間１０２に設置されれば、バッグ構造１全体が完成した。収納本体１０の開口１００周辺箇所及び内張袋１２の開口部１２０周辺箇所に連接体１６が設置され、この連接体１６は、ファスナー体、面ファスナー、固定リング、引締め紐またはボタン体であってもよい。連接体１６により、前記開口１００が前記開口部１２０と連接したり、分離したりするように構成される。なお、複数の第１接合具１７は、前記収納本体１０の内壁面１０４に設置される。複数の第２接合具１８は、前記内張袋１２の外壁面１２４に設置され、かつ各前記第１接合具１７に相互に連接固定される。前述した第１接合具１７及び第２接合具１８において、いずれも引締め紐、固定リング、磁石、面ファスナーまたはボタン体であってもよい。この他、前記内張袋１２に、複数の収容袋１２６が設置され、これらの収容袋１２６により、異なる入れ物品を分類仕分けして収容することができる。
【００１４】
図３及び図４は、それぞれ本考案の好ましい実施例の取替え状態及び取付け状態を示す図である。図３及び図４に示すように、本考案における連接体１６としてはファスナー体を例として挙げることができ、異なる模様、機能の内張袋１２に取替えようとする場合には、まず、スライダーが離脱したまで、ファスナー体をスライダー箇所から往復に外れて開くようにする。この時、本来、ファスナー体により連接された開口１００及び開口部１２０が分離すると同時に、内張袋１２もそのために順調に収納本体１０の収納空間１０２内から取り出すことができる。取り出すと同時に、収納本体１０の内壁面１０４上の各第１接合具１７と、内張袋１２の外壁面１２４上の各第２接合具１８とを分離させる必要があり、そうすれば、完全に取り出すことが可能となる。本実施例における内張袋１２は、収容袋１２６なしから、数多くの収容袋１２６を有する内張袋１２に取替えることで、一般のバッグでも母親が外出する時に使用するマザーズバッグまたは耐震効果を有するノットパソコンの機能内張等に適合するように変更させられ得る。
【００１５】
旧の内張袋１２を取り出した後に、数多くの収容袋１２６が設置される内張袋１２をまず収納本体１０の収納空間１０２に置き、この時、内張袋１２の外壁面１２４上の各第２接合具１８（面ファスナーを例とする）を、収納本体１０の内壁面１０４上の各第１接合具１７（面ファスナーを例とする）に照準し、各第１接合具１７と各第２接合具１８とを相互に粘接着して完成した後に、開口１００及び開口部１２０箇所の連接体１６を利用して相互に連接して完成するので、内張袋１２の取替えを迅速かつ便利に完成することができる。
【００１６】
前述に言及した第１接合具１７と第２接合具１８との相粘合を利用し、それは主に内張袋１２を完全に収納本体１０の収納空間１０２中に固定され、使用者が外出に使用する時に、内張袋１２が容易に揺れて位置ずれを生じるため、内張袋１２内または収容袋１２６に入れた物品が位置移動して散らかってしまうのを防止する。
【００１７】
図５は、本考案の内張袋の他の取替え状態を示す図である。上記方式の他に、内張袋１２としては、図５のようにしてもよい。内張袋１２の外壁面１２４上の複数個の所定面に、それぞれ引締め紐を例とする第２接合具１８が設置され、また収納本体１０の内壁面１０４上に、第２接合具１８に相対応する箇所には、第１接合具１７（固定リングを例とする）が設置され、新しい内張袋１２を取替える時に、まず、内張袋１２上の引締め紐をそれぞれ各自に対応する固定リングに通すと共に、紐結び方式で固定リング上に縛付して内張袋１２の位置に有効に固定すると同時に、各隅に設置される引締め紐と固定リングにより、内張袋１２の各隅部位を有効に位置固定する。完成後、連接体１６（ファスナー体）を利用して開口１００及び開口部１２０を相互に連接すると共に、スライダーを引き上げればよい。内張袋１２及び収納本体１０の底部に至っては、磁石、面ファスナーまたはボタン体を別途に増設する方式で固定してもよい（未図示）。
【符号の説明】
【００１８】
１：バッグ構造
１０：収納本体
１００：開口
１０２：収納空間
１０４：内壁面
１２：内張袋
１２０：開口部
１２２：収容空間
１２４：外壁面
１２６：収容袋
１４：手提げ部
１６：連接体
１７：第１接合具
１８：第２接合具
【図１】
0003198170.tif 000003
【図２】
0003198170.tif 000004
【図３】
0003198170.tif 000005
【図４】
0003198170.tif 000006
【図５】
0003198170.tif 000007